(57)【特許請求の範囲】
【請求項１】
洗い場と、浴槽支持部と、洗い場裏側から浴槽支持部に向かって浴槽支持部の奥端直下まで延設された補強架台と、延設された補強架台の一端部に立設され浴槽支持部の奥端を支持する支持杆とからなる防水パンであって、
上記洗い場裏側には、補強リブが格子状に設けられるとともに、その浴槽支持部側には補強架台嵌合部が設けられ、
上記補強架台嵌合部には溝部と鍔部とを有する断面ハット形接合部材の溝部が嵌着され、上記補強リブには接合部材の鍔部が固着され、上記接合部材の溝部に突設された補強架台接合ボルトに、上記補強架台の他端部が固定されていることを特徴とする防水パン。
【発明の詳細な説明】
【０００１】
【発明の属する技術分野】
本発明は、浴室ユニットに設けられる防水パンに関する。
【０００２】
【従来の技術】
従来、住宅等の建物に設置される浴室ユニットに使用される防水パンとしては、図１に示すように、洗い場１と、浴槽支持部２と、洗い場１裏側に浴槽支持部２に向かっての奥端直下まで延設されて設けられた補強架台３と、補強架台３の延設された端部に立設され浴槽支持部２の奥端を支持する支持杆４とからなる防水パンが知られている（特開平９−３２８７９４号公報等）。
【０００３】
このような防水パンは、通常スプレーアップ方式やシートモールディングコンパウンド（以下、「ＳＭＣ」という）を使用した押圧成形などにより製造される。ＳＭＣの押圧成形により防水パンを製造する場合、通常は、図５に示すように洗い場１の裏側に３０〜５０ｍｍ程度の高さの補強リブ１１ａが格子状に設けられる。
そして、補強架台３は、補強リブ１１ａと同程度の高さの凸部１２に設けられた開口部１２ａに嵌着されたナット１３ａ及びこのナット１３ａに螺合するボルト１３ｂにより、洗い場１裏側に固定される。
【０００４】
ここで、補強架台３は、脚ボルト１４により、浴室の設置面Ｇに固定される。このような場合、浴室の設置面Ｇに対して洗い場１の高さが高くなるが、この高さは、バリアーフリーの要望の強い昨今においては十分にとれない場合が多い。
【０００５】
特に階上に浴室を設置する場合には、このような構成にすると、浴室の納まりが悪くなるという問題があった。
【０００６】
【発明が解決しようとする課題】
本発明は、上記の課題を解決し、浴室の設置面に対する洗い場の段差が小さく、バリアーフリーの要望に沿い、浴室を階上に設置しても納まりが悪くなることのない防水パンを提供することを目的とする。
【０００７】
【課題を解決するための手段】
本発明の防水パンは、洗い場と、浴槽支持部と、洗い場裏側から浴槽支持部に向かって浴槽支持部の奥端直下まで延設された補強架台と、延設された補強架台の一端部に立設され浴槽支持部の奥端を支持する支持杆とからなる防水パンであって、上記洗い場裏側には、補強リブが格子状に設けられるとともに、その浴槽支持部側には補強架台嵌合部が設けられ、上記補強架台嵌合部には溝部と鍔部とを有する断面ハット形接合部材の溝部が嵌着され、上記補強リブには接合部材の鍔部が固着され、上記接合部材の溝部に突設された補強架台接合ボルトに、上記補強架台の他端部が固定されているものである。
【０００８】
（作用）
本発明の防水パンは、洗い場の裏側に補強リブが格子状に設けられているので、ＳＭＣの押圧成形により防水パンを製造する場合であっても十分な強度を有し、洗い場裏側から浴槽支持部に向かって浴槽支持部の奥端直下まで延設された補強架台の端部が、上記洗い場の浴槽支持部側に設けられた補強架台嵌合部に固着された断面ハット形接合部材の補強架台接合ボルトに固定されているものであるから、浴室の設置面に対する洗い場の段差が小さくてすむ。
【０００９】
【発明の実施の形態】
以下、本発明の実施の形態を、図面に基づいて、さらに詳しく説明する。
図１は、本発明に係わる防水パンの一使用形態を示す側面図である。
図１において、１は洗い場、２は浴槽支持部、３は補強架台、４は支持杆、１１は補強リブ、１５は補強架台嵌合部である。
【００１０】
本発明に係わる防水パンは、洗い場１と、浴槽支持部２と、補強架台３と、支持杆４とからなる。
【００１１】
本発明に係わる防水パンは、浴室ユニットに使用される際には、洗い場１に隣接されて浴槽５が、その框５ａを上方より嵌め込んで取り付けられるようになっている。
上記浴槽支持部２は、上記浴槽５の框部５ａを支持するもので、洗い場１と別体に成形され、後で組み立てられている。
【００１２】
一方、補強架台３は、洗い場１裏側に浴槽支持部２に向かって、浴槽支持部２の奥端直下まで延設されている。
【００１３】
又、補強架台３の延設された端部には、浴槽支持部２の奥端を支持する支持杆４が立設されている。
【００１４】
さらに、上記洗い場１裏側には、補強リブ１１が格子状に設けられるとともに、その浴槽支持部２側には図２に示すように補強架台嵌合部１５が設けられ、補強架台３の他端部が固定されている。
【００１５】
図３は、図２に示す防水パンの洗い場裏側に、接合部材が固定された状態を示す斜視図である。
図３において、１６は接合部材、１６１は溝部、１６２は鍔部、１６３は補強架台接合ボルトである。
【００１６】
図３に示すように、上記防水パンの洗い場裏側には、断面ハット形接合部材１６が固定されている。
接合部材１６は溝部１６１と鍔部１６２とからなり、溝部１６１には補強架台接合ボルト１６３が接合され、接合部材１６の溝部１６１が上記が補強架台嵌合部１５に嵌着されるとともに接合部材１６の鍔部１６２がと補強リブ１１にビス１６４によって固着されている。
【００１７】
図４は、図３に示す防水パンの洗い場裏側に、補強架台を固定する方法を説明するための斜視図である。
【００１８】
図４に示すように、接合部材１６に溝部１６１に設けられた補強架台接合ボルト１６３に、補強架台３のボルト穴（図示せず）を嵌め込み、ナット１６５、ワッシャ１６６をスパナ１６７でもって固着することにより、補強架台３が防水パンの洗い場１裏側に固定される。
【００１９】
【発明の効果】
本発明の防水パンは、上述の如き構成となされているので、浴室の設置面に対する洗い場の段差が小さく、バリアーフリーの要望に沿い、浴室を階上に設置しても納まりが悪くなることがない。
従って、浴室ユニットに好適に用いられる。
【図面の簡単な説明】
【図１】本発明に係わる防水パンの一使用形態を示す側面図である。
【図２】図１に示す防水パンの洗い場裏側を拡大して示す斜視図である。
【図３】図２に示す防水パンの洗い場裏側に、接合部材が固定された状態を示す斜視図である。
【図４】図３に示す防水パンの洗い場裏側に、補強架台を固定する方法を説明するための斜視図である。
【図５】従来の防水パンの洗い場裏側を拡大して示す側面図である。
【符号の説明】
１            洗い場
２            浴槽支持部
３            補強架台
４            支持杆
１１          補強リブ
１５          補強架台嵌合部
１６          接合部材
１６１        溝部
１６２        鍔部
１６３        補強架台接合ボルト
【図１】
0004589568.tif 000002
【図２】
0004589568.tif 000003
【図３】
0004589568.tif 000004
【図４】
0004589568.tif 000005
【図５】
0004589568.tif 000006